(57)【要約】【課題】複数の表示装置を縦・横に組み合わせて大型画面を形成する際の表示装置の位置精度を向上させることが可能な表示装置取付治具を提供する。【解決手段】コーナー金具３０は、互いに隣接配置される表示装置１１の端部における互いに対向する位置にそれぞれ取り付けられる第１治具と第２治具とを備えている。第１治具は、表示装置１１の端部に設けられており、表示装置１１の表示画面に対して略垂直に配置された平面部３１ｂと、平面部３１ｂに設けられ平面部３１ｂから表示装置１１の外側に向かって突出する突出部３２とを有している。第２治具は、表示装置１１の端部における第１治具に対向する位置に設けられており、表示装置１１の表示画面に対して略垂直に配置された平面部３１ｃと、平面部３１ｃに設けられ平面部３１ｃから表示装置１１の内側に向かって凹んでおり、突出部３２が嵌合する係合穴３３とを有している。【選択図】図１３
2018092203.tif 000002
【特許請求の範囲】
【請求項１】
複数の表示装置を並べて大型画面を形成する際に使用される表示装置取付治具であって、
互いに隣接配置される表示装置の端部における互いに対向する位置にそれぞれ取り付けられる第１治具と第２治具とを備えており、
前記第１治具は、
前記表示装置の端部に設けられており、前記表示装置の表示画面に対して略垂直に配置された平面部と、
前記平面部に設けられており、前記平面部から前記表示装置の外側に向かって突出する突出部と、
を有し、
前記第２治具は、
前記表示装置の端部における前記第１治具に対向する位置に設けられており、前記表示装置の表示画面に対して略垂直に配置された平面部と、
前記平面部に設けられており、前記平面部から前記表示装置の内側に向かって凹んでおり、前記第１治具の前記突出部が嵌合する凹部と、
を有している、
表示装置取付治具。
【請求項２】
前記第１・第２治具は、それぞれ前記表示装置の四隅に取り付けられる、
請求項１に記載の表示装置取付治具。
【請求項３】
前記第１・第２治具は、一体化された状態で構成される、
請求項２に記載の表示装置取付治具。
【請求項４】
複数の表示装置を並べて大型画面を形成する際に使用される表示装置取付治具であって、
互いに隣接配置される表示装置の端部における互いに対向する位置にそれぞれ取り付けられる第１治具と第２治具とを備えており、
前記第１治具は、
前記表示装置の端部に設けられており、前記表示装置の表示画面に対して略垂直に配置された平面部と、
前記平面部に形成された開口部と、
前記平面部から前記表示装置の外側に向かって少なくとも一部が突出するように前記開口部内に配置されており、前記平面部に交差する方向に移動可能、かつ前記表示画面に垂直な方向において移動不能であって、金属に対して吸着する吸着部と、
を有し、
前記第２治具は、
前記表示装置の端部における前記第１治具に対向する位置に設けられており、前記表示装置の表示画面に対して略垂直に配置された平面部と、
前記平面部に設けられており、前記平面部から前記表示装置の内側に向かって凹んでおり、前記第１治具の前記吸着部が吸着する凹部と、
を有している、
表示装置取付治具。
【請求項５】
前記吸着部は、略円柱形状を有しており、
前記開口部内に配置された状態において、前記平面部から略円柱形状の側面が突出するように配置されている、
請求項４に記載の表示装置取付治具。
【請求項６】
前記第１・第２治具は、それぞれ前記表示装置の四隅に取り付けられる、
請求項４または５に記載の表示装置取付治具。
【請求項７】
前記第１・第２治具は、一体化された状態で構成される、
請求項６に記載の表示装置取付治具。
【発明の詳細な説明】
【技術分野】
【０００１】
本開示は、例えば、液晶表示パネル、プラズマディスプレイパネル等の表示装置を壁面等に取り付けるのに使用される表示装置取付治具に関し、特に、複数の表示装置を縦・横に組み合わせて大画面を構成する際に用いられる表示装置取付治具に関する。
【背景技術】
【０００２】
近年、液晶表示パネル、プラズマディスプレイパネル等の表示装置を、縦・横に組み合わせて形成される大型表示画面の需要が増加している。
複数の表示装置を縦・横に組み合わせて大型表示画面を構成する際に使用される取付金具としては、壁や骨組み等の取付面に固定される枠状の固定フレームと、固定フレームの正面側へ引き出されるように枠状の可動フレームとを組み合わせたものが、用いられている。
【０００３】
例えば、特許文献１には、所定の表示装置を壁面に取り付ける壁掛取付装置であって、固定対象となる壁面に対向する設置面を有する枠体と、枠体の設置面を壁面に設けられる所定の金具によって掛止可能な掛止用開口部と、壁面に枠体をネジ止め固定するために設けられ所定のネジ止め位置自由度を有する複数の固定用ネジ穴と、複数の位置決め用穴と、を備えた壁掛取付装置について開示されている。
【０００４】
上記公報に開示された壁掛取付装置によれば、壁掛取付装置自体の壁面への固定作業を容易に行うことができるとともに、壁掛取付装置自体を正確に壁面に対して取り付けることができる。
【先行技術文献】
【特許文献】
【０００５】
【特許文献１】特開２０１１−７５７５７号公報
【発明の概要】
【発明が解決しようとする課題】
【０００６】
しかしながら、上記従来の壁掛取付装置では、以下に示すような問題点を有している。
すなわち、上記公報に開示された壁掛取付装置では、壁面に対して壁掛取付装置を個々には正確に取り付けできるものの、複数の表示装置を縦・横に組み合わせて大型画面を形成する場合には、隣接配置される表示装置間の位置合わせも重要となる。
【０００７】
しかし、上記壁掛取付装置の構成では、壁面に対する個々の壁掛取付装置の取付精度が向上するだけであり、隣接配置される壁掛取付装置および表示装置の位置精度を向上させることができるとは言い難い。
【０００８】
本開示の課題は、複数の表示装置を縦・横に組み合わせて大型画面を形成する際の表示装置の位置精度を向上させることが可能な表示装置取付治具を提供することにある。
【課題を解決するための手段】
【０００９】
本開示に係る表示装置取付治具は、複数の表示装置を並べて大型画面を形成する際に使用される表示装置取付治具であって、互いに隣接配置される表示装置の端部における互いに対向する位置にそれぞれ取り付けられる第１治具と第２治具とを備えている。第１治具は、表示装置の端部に設けられており表示装置の表示画面に対して略垂直に配置された平面部と、平面部に設けられており平面部から表示装置の外側に向かって突出する突出部と、を有している。第２治具は、表示装置の端部における第１治具に対向する位置に設けられており表示装置の表示画面に対して略垂直に配置された平面部と、平面部に設けられており平面部から表示装置の内側に向かって凹んでおり第１治具の突出部が嵌合する凹部と、を有している。
【００１０】
本開示に係る表示装置取付治具は、複数の表示装置を並べて大型画面を形成する際に使用される表示装置取付治具であって、互いに隣接配置される表示装置の端部における互いに対向する位置にそれぞれ取り付けられる第１治具と第２治具とを備えている。第１治具は、平面部と、開口部と、吸着部と、を有している。平面部は、表示装置の端部に設けられており、表示装置の表示画面に対して略垂直に配置されている。開口部は、平面部に形成されている。吸着部は、平面部から表示装置の外側に向かって少なくとも一部が突出するように開口部内に配置されており、平面部に交差する方向に移動可能、かつ表示画面に垂直な方向において移動不能であって、金属に対して吸着する。第２治具は、平面部と、凹部と、を有している。平面部は、表示装置の端部における第１治具に対向する位置に設けられており、表示装置の表示画面に対して略垂直に配置されている。凹部は、平面部に設けられており、平面部から表示装置の内側に向かって凹んでおり、第１治具の吸着部が吸着する。
【００１１】
（効果）
本開示に係る表示装置取付治具によれば、複数の表示装置を縦・横に組み合わせて大型画面を形成する際の表示装置の位置精度を向上させることができる。
【図面の簡単な説明】
【００１２】
【図１】本開示の一実施形態に係る表示装置取付金具が装着された表示ユニットを表示画面の反対側から見た背面図。
【図２】（ａ），（ｂ）は、図１の表示ユニットに含まれる取付金具の構成を示す平面図、側面図。
【図３】（ａ），（ｂ）は、図１の表示ユニットの作業状態の構成を示す平面図、側面図。
【図４】（ａ），（ｂ）は、図１の表示ユニットを設置状態の構成を示す平面図、側面図。
【図５】（ａ），（ｂ）は、図１の表示ユニットに含まれる取付金具の金具部を表示装置の背面に取り付ける状態を示す平面図、側面図。
【図６】図１の表示ユニットを縦３列、横３列組み合わせて大型画面を形成した構成を示す正面図。
【図７】（ａ）〜（ｃ）は、複数の表示装置を用いて大型画面を形成する際に、図１の表示ユニットに含まれる取付金具の枠体部を壁面に取り付けていく手順を示す平面図。
【図８】（ａ）〜（ｃ）は、複数の表示装置を用いて大型画面を形成する際に、壁面に取り付けられた取付金型の枠体部に対して、金具部が装着された表示装置を取り付けていく手順を示す平面図。
【図９】（ａ）〜（ｃ）は、複数の表示装置を用いて大型画面を形成する際に、壁面に取り付けられた表示ユニットを作業状態から設置状態へ移行させていく手順を示す平面図。
【図１０】（ａ），（ｂ）は、図１の表示ユニットを構成する表示装置の四隅にコーナー金具が取り付けられた状態を示す側面図、背面図。
【図１１】（ａ），（ｂ）は、図１０のコーナー金具の構成を示す斜視図。
【図１２】図１１（ａ）のコーナー金具を用いて、上下方向に並んで設置された２つの表示装置を位置合わせした状態を示す斜視図。
【図１３】（ａ），（ｂ）は、図１２の表示装置における連結部分の拡大図。
【図１４】図１３（ａ）の連結部分の断面図。
【図１５】（ａ），（ｂ）は、本開示の他の実施形態に係るコーナー金具が表示装置の四隅に取り付けられた状態を示す側面図、背面図。
【図１６】（ａ）〜（ｃ）は、図１５のコーナー金具の構成を示す平面図、側面図、正面図。
【図１７】（ａ），（ｂ）は、図１５のコーナー金具の構成を示す平面図、正面図。
【図１８】（ａ），（ｂ）は、図１５のコーナー金具の構成を示す正面図。
【図１９】図１５のコーナー金具を用いて、左右方向に並んで設置された２つの表示装置を位置合わせした状態におけるコーナー金具の部分を拡大した正面図。
【図２０】図１９のＡ−Ａ線矢視断面図。
【発明を実施するための形態】
【００１３】
（実施形態１）
本開示の一実施形態に係る取付金具（表示装置取付金具）１２が表示装置１１に対して装着された表示ユニット１０について、図１〜図１４を用いて説明すれば以下の通りである。
【００１４】
なお、以下の説明において登場する上下、左右等の方向については、表示ユニット１０が壁面１５に対して固定された状態で正面から見た上下、左右方向を意味するものとする。
【００１５】
［表示ユニット１０の構成］
本実施形態に係る表示ユニット１０は、複数の表示装置１１を縦方向および横方向に組み合わせて大型画面を形成するためのユニットであって、図１に示すように、表示装置１１と、取付金具１２と、移動機構１３と、微調整機構１４とを備えている。
【００１６】
（表示装置１１）
表示装置１１は、例えば、液晶ディスプレイ、プラズマディスプレイ等の表示装置であって、縦３列、横３列（図６参照）の表示装置１１の表示画面１１ａを９つ組み合わせて大型画面を形成する。また、表示装置１１は、隣接する表示画面１１ａ同士の接続部分に映像の欠損部分が生じないように、外枠の厚みができるだけ薄くなるように構成されている。
【００１７】
さらに、表示装置１１は、表示画面１１ａとは反対側の背面１１ｂ側に、壁面（取付面）１５（図７（ａ）等参照）における所定の位置に正確に取り付けるための各種機構として、後述する取付金具１２、移動機構１３、微調整機構１４が取り付けられている。
【００１８】
また、表示装置１１は、隣接する表示装置１１同士の表示画面１１ａに垂直な方向における位置合わせを行うために、四隅にコーナー金具（表示装置取付治具）３０が取り付けられている。なお、コーナー金具３０の構成については、後段にて詳述する。
【００１９】
（取付金具１２）
取付金具１２は、表示装置１１を壁面１５における所定の位置に正確に取り付けるための金具であって、表示装置１１の重量を支持するために必要な剛性を備えている。そして、取付金具１２は、図１、図２（ａ）および図２（ｂ）等に示すように、枠体部１２ａ、金具部１２ｂ、長穴１２ｃを有している。
【００２０】
枠体部１２ａは、図１に示すように、長辺側、短辺側２本ずつのフレーム２０ａ〜２０ｄを組み合わせて構成された四角形の枠体であって、図２（ａ）および図２（ｂ）等に示すように、その外形が表示装置１１の外形と同じ寸法になるように形成されている。
【００２１】
金具部１２ｂは、表示装置１１の背面１１ｂ側と枠体部１２ａとを接続する部材であって、枠体部１２ａに対して着脱可能となっている。また、金具部１２ｂは、表示装置１１の背面１１ｂにおけるほぼ中央部分に取り付けられている。より具体的には、金具部１２ｂは、背面１１ｂに形成された４つのボルト穴１１ｂａ（図１０（ｂ）参照）に取付ボルト１６を螺合させることで、表示装置１１の背面１１ｂに取り付けられている。
【００２２】
さらに、金具部１２ｂは、図５（ａ）および図５（ｂ）に示すように、枠体部１２ａとは分離された状態で、表示装置１１の背面１１ｂに取り付けられる。そして、金具部１２ｂは、図８（ａ）〜図８（ｃ）等に示すように、表示装置１１の背面１１ｂに取り付けられた状態で、壁面１５に固定された枠体部１２ａに対して連結される。また、金具部１２ｂは、本体部２１、連結部２２を有している。
【００２３】
本体部２１は、表示装置１１の背面１１ｂに対して、上下左右の端部に形成された４つのボルト穴２１ａに装填される４本の取付ボルト１６を介して接続される。また、本体部２１は、図５（ａ）および図５（ｂ）に示すように、２つの部材（第１部材２１ｂ、第２部材２１ｃ）を組み合わせて構成されている。
【００２４】
第１部材２１ｂは、図５（ａ）に示すように、本体部２１の外郭を形成するとともに、平面視において略Ｕ字型の部材であって、図５（ｂ）に示すように、両側の側面に形成された長穴２１ｂａを有している。長穴２１ｂａは、鉛直方向に対して斜めに形成されており、第１部材２１ｂの内側に配置された第２部材２１ｃ側の挿入部２１ｃｂが挿入された状態で移動する。
【００２５】
第２部材２１ｃは、図５（ａ）に示すように、平面視において略四角形の部材であって、第１部材２１ｂの内側に配置されている。また、第２部材２１ｃの上端部には、後述する操作ハンドル１４ａが設けられている。さらに、第２部材２１ｃは、図５（ｂ）に示すように、両側の側面における第１部材２１ｂの長穴２１ｂａと重なる位置に設けられた長穴２１ｃａと、両側の側面に形成された長穴２１ｂａ，２１ｃａに挿入された状態で上下に移動する挿入部２１ｃｂと、連結部２２側の長穴２２ｃに挿入された状態で上下に移動する挿入部２１ｃｃと、を有している。
【００２６】
長穴２１ｃａは、長穴２１ｂａと重なるように配置されており、略鉛直方向に沿って形成されている。
挿入部２１ｃｂは、円柱状の部材であって、第１・第２部材２１ｂ，２１ｃの両側の側面に形成された長穴２１ｂａ，２１ｃａに両端が挿入されている。そして、挿入部２１ｃｂは、後述する操作ハンドル１４ａを回転させることで、異なる方向に形成された長穴２１ｂａ，２１ｃａに沿って移動することで、第１部材２１ｂが第２部材２１ｃに対して回動軸２３を中心にして回動し、表示装置１１を前側に傾斜させることができる。
【００２７】
挿入部２１ｃｃは、挿入部２１ｃｂと同様に円柱状の部材であって、連結部２２の両側の側面に形成された長穴２２ｃに挿入されている。
連結部２２は、本体部２１の背面側に一体的に接続されており、図５（ａ）および図５（ｂ）に示すように、左右一対のリンク部材１３ａの一端が接続されている。また、連結部２２は、枠体部１２ａに対して連結される際に枠体部１２ａの一部に係止される係止部２２ａ，２２ｂと、両側の側面に形成された長穴２２ｃと、を有している。
【００２８】
係止部２２ａ，２２ｂは、連結部２２における上下左右の端部から下向きに突出するように形成されている。また、係止部２２ａ，２２ｂは、下向きに突出した部分を引っ掛けるようにして、金具部１２ｂ側に固定される。
【００２９】
長穴２２ｃは、連結部２２の両側の側面に、略鉛直方向に沿って形成されている。また、長穴２２ｃには、上述した円柱状の挿入部２１ｃｃの両端が挿入されており、後述する操作ハンドル１４ｂを回転させることで上下に移動する。これにより、操作ハンドル１４ｂを回転させることで、連結部２２に対して、表示装置１１の背面１１ｂ側を支持する本体部２１を上下方向において移動させることができる。
【００３０】
長穴１２ｃは、図１に示すように、枠体部１２ａを構成するフレーム２０ａ〜２０ｄのうち、長辺側のフレーム２０ａ，２０ｃにおける壁面１５と当接する面に複数形成されている。また、長穴１２ｃは、図７（ａ）〜図７（ｃ）等に示すように、壁面固定ボルト１８が挿入された状態で壁面１５側に形成されたボルト穴（図示せず）に螺合することで、表示ユニット１０が壁面１５に対して固定される。
【００３１】
（移動機構１３）
移動機構１３は、壁面１５に取り付けられた表示ユニット１０を、作業状態（図３（ａ）および図３（ｂ））から設置状態（図４（ａ）および図４（ｂ））へ移行させる、つまり表示装置１１を壁面１５側へ押し込むために設けられている。
【００３２】
なお、上記作業状態とは、表示装置１１に配線等の作業を行うときの位置にある状態や、表示装置１１と枠体部１２ａ側とを連結させる際の位置にある状態を意味している。上記設置状態とは、表示装置１１の設置作業が完了して使用可能な位置にある状態を意味している。
【００３３】
具体的には、移動機構１３は、左右一対のリンク部材１３ａ、回動軸１３ｂ、長穴１３ｃ，１３ｄを有している。
左右一対のリンク部材１３ａは、回動軸１３ｂを中心に回動する２つのリンクによって構成されている。左右一対のリンク部材１３ａは、図３（ａ）および図３（ｂ）に示すように、２つのリンクの下側の端部が、それぞれ長穴１３ｃ，１３ｄに挿入された状態で上下に移動可能となるように構成されている。
【００３４】
回動軸１３ｂは、左右一対のリンク部材１３ａを構成する２つのリンクの中心に挿入されており、２つのリンクの回動中心となる。
長穴１３ｃは、枠体部１２ａの側面に、略鉛直方向に沿って形成されている。そして、長穴１３ｃは、リンク部材１３ａを構成する１つのリンクの端部が挿入された状態で上下に移動する。
【００３５】
長穴１３ｄは、金具部１２ｂの側面に、略鉛直方向に沿って形成されている。そして、長穴１３ｄは、リンク部材１３ａを構成する１つのリンクの端部が挿入された状態で上下に移動する。
【００３６】
より具体的には、図３（ｂ）に示す作業状態では、枠体部１２ａと金具部１２ｂとが離れた状態となっており、リンク部材１３ａの下側の端部は、長穴１３ｃ，１３ｄのそれぞれ上端部分に位置している。一方、図４（ｂ）に示す設置状態では、枠体部１２ａと金具部１２ｂとが接近した状態となっており、リンク部材１３ａの下側の端部は、長穴１３ｃ，１３ｄのそれぞれ下端部分に位置している。
【００３７】
これにより、移動機構１３の左右一対のリンク部材１３ａを回動軸１３ｂを中心にして回動させることで、枠体部１２ａと金具部１２ｂとの間の距離を縮めたり、伸ばしたりすることができる。
【００３８】
（微調整機構１４）
微調整機構１４は、壁面１５に固定された表示ユニット１０の表示装置１１の姿勢（上下・左右・傾き等）を微調整するために設けられており、図２（ａ）および図２（ｂ）、図５（ａ）および図５（ｂ）に示すように、壁面１５に取り付けられる枠体部１２ａ側と、表示装置１１の背面１１ｂ側に取り付けられる金具部１２ｂ側とに、それぞれ設けられている。そして、微調整機構１４は、４つの操作ハンドル（操作部）１４ａ〜１４ｄを有している。
【００３９】
操作ハンドル１４ａは、図５（ａ）および図５（ｂ）に示すように、金具部１２ｂ側における本体部２１の上部に設けられており、表示装置１１の壁面１５に対するチルト角を微調整する。
【００４０】
具体的には、操作ハンドル１４ａを回転させると、金具部１２ｂを構成する本体部２１の両側の側面に形成された長穴２１ｂａ，２１ｃａに沿って挿入部２１ｃｂが上下する。
このとき、長穴２１ｂａは、斜め方向に沿って形成されており、長穴２１ｃａは、略鉛直方向に沿って形成されている。このため、操作ハンドル１４ａを回転させることで、異なる方向に形成された長穴２１ｂａ，２１ｃａに沿って挿入部２１ｃｂが移動する。
【００４１】
これにより、第１部材２１ｂが第２部材２１ｃに対して回動軸２３を中心にして回動し、表示装置１１を前側に傾斜させることができる。すなわち、操作ハンドル１４ａの操作によって、表示装置１１の表示画面１１ａが前面側へ傾くチルト角度を微調整することができる。
【００４２】
操作ハンドル１４ｂは、図５（ａ）および図５（ｂ）に示すように、金具部１２ｂ側における連結部２２の上部に設けられており、上下方向において表示装置１１を平行移動させることで、表示装置１１の上下方向における位置を微調整する。
【００４３】
具体的には、操作ハンドル１４ｂを回転させると、金具部１２ｂの側面に形成された長穴２２ｃに沿って挿入部２１ｃｃが上下する。このとき、挿入部２１ｃｃは、本体部２１と一体化されている。
【００４４】
これにより、操作ハンドル１４ｂを回転させることで、連結部２２に対して、表示装置１１の背面１１ｂ側を支持する本体部２１を上下方向において平行移動させることができる。すなわち、操作ハンドル１４ｂの操作によって、壁面１５に対する表示装置１１の上下方向における位置を微調整することができる。
【００４５】
操作ハンドル１４ｃは、図２（ａ）および図２（ｂ）に示すように、金具部１２ｂ側における連結部２２の上部側面に設けられており、左右方向において表示装置１１を平行移動させることで、表示装置１１の左右方向における位置を微調整する。
【００４６】
具体的には、操作ハンドル１４ｃを回転させると、枠体部１２ａに対して、左右方向に表示装置１１を移動させることができる。すなわち、操作ハンドル１４ｃの操作によって、壁面１５に対する表示装置１１の左右方向における位置を微調整することができる。
【００４７】
操作ハンドル１４ｄ，１４ｄは、図２（ａ）および図２（ｂ）に示すように、枠体部１２ａ側における左右一対のリンク部材１３ａ，１３ａ同士を接続する部材の両端にそれぞれ設けられており、左右方向における表示装置１１の傾きを調整する。
【００４８】
具体的には、操作ハンドル１４ｄ，１４ｄを回転させると、枠体部１２ａに対して、表示装置１１を上下方向において移動させることができる。すなわち、２つの操作ハンドル１４ｄ，１４ｄの操作量に差をつけることにより、壁面１５に対する表示装置１１の表示画面に平行な方向における傾きを微調整することができる。
【００４９】
本実施形態では、４つの操作ハンドル１４ａ〜１４ｄは、図２（ａ）および図２（ｂ）に示すように、表示装置１１の背面側における取付金具１２の上部に配置されている。これにより、表示装置１１の上下方向、左右方向における位置、壁面１５に対するチルト角度、傾き等の微調整を、円滑に実施することができる。
【００５０】
＜大型画面形成時の設置手順＞
本実施形態の表示ユニット１０では、図６に示すように、縦３列、横３列に９個の表示装置１１を配置して大型画面を形成する。ここで、図６に示す大型画面を形成する際の、各表示ユニット１０の設置手順について、図７（ａ）〜図９（ｃ）を用いて説明すれば以下の通りである。
【００５１】
すなわち、壁面１５に対して表示ユニット１０を取り付ける際には、図７（ａ）に示すように、まず、９つの表示ユニット１０のうちの左下段に取り付けられる表示ユニット１０から取付を開始する。具体的には、表示ユニット１０を構成する取付金具１２のうち、移動機構１３が取り付けられた枠体部１２ａだけを、壁面固定ボルト１８を用いて壁面１５に固定する。壁面固定ボルト１８は、枠体部１２ａを構成するフレーム２０ａに形成された長穴１２ｃ（図１参照）内に挿入され、壁面１５側に形成されたボルト穴に固定される。
【００５２】
ここで、枠体部１２ａは、上述したように、その外形が表示装置１１の外形と同じ寸法になるように形成されている。よって、複数の表示ユニット１０を縦・横方向に並べて配置する際には、枠体部１２ａ同士を接続して配置することで、表示装置１１の位置合わせも同時に行うことができる。
【００５３】
次に、図７（ｂ）に示すように、左下段の表示ユニット１０の枠体部１２ａの右横に、中央下段の表示ユニット１０の枠体部１２ａを配置し、枠体部１２ａ，１２ａの側面同士を固定ボルト１７を用いて接合する。
【００５４】
このとき、枠体部１２ａは、外形が表示装置１１と同じサイズであって、表示装置１１を支持するだけの剛性を備えており、各フレーム２０ａ〜２０ｄの直角度も表示装置１１の外形に合わせて正確に構成されている。このため、図７（ｂ）に示すように、枠体部１２ａの側面同士を当接させた状態で、固定ボルト１７によって枠体部１２ａ，１２ａ同士を接合することで、表示装置１１の位置合わせも同時に行うことができる。また、枠体部１２ａが十分な剛性を備えているため、中央下段に設置された枠体部１２ａは壁面１５に対して固定する必要はなく、左右の枠体部１２ａのみが壁面１５に固定されていればよい。
【００５５】
次に、図７（ｃ）に示すように、中央下段の表示ユニット１０の枠体部１２ａの右横に、右下段の表示ユニット１０の枠体部１２ａを配置し、枠体部１２ａ，１２ａの側面同士を固定ボルト１７を用いて接合する。
【００５６】
このとき、枠体部１２ａの右端部を、左下段の枠体部１２ａと同様に、壁面固定ボルト１８を用いて壁面１５に固定する。壁面固定ボルト１８は、枠体部１２ａを構成するフレーム２０ａに形成された長穴１２ｃ（図１参照）内に挿入され、壁面１５側に形成されたボルト穴に固定される。
【００５７】
次に、中段に設置される枠体部１２ａについて、図７（ａ）〜図７（ｃ）に示す手順を繰り返し、壁面１５に対して固定する。これにより、下段および中段の６つの枠体部１２ａを壁面１５に固定することができる。
【００５８】
さらに、上段に設置される枠体部１２ａについて、図７（ａ）〜図７（ｃ）に示す手順を繰り返し、壁面１５に対して固定する。これにより、下段、中段および上段の９つの枠体部１２ａを壁面１５に固定することができる。
【００５９】
本実施形態では、上述したように、９つ全ての枠体部１２ａを壁面１５に固定した後、背面１１ｂ側に金具部１２ｂが取り付けられた表示装置１１を含むユニットを、図８（ａ）〜図８（ｃ）に示す手順に沿って取り付けていく。
【００６０】
具体的には、図８（ａ）に示すように、まず、９つの表示ユニット１０のうちの左下段に取り付けられた枠体部１２ａに対して、表示装置１１の取付を行う。
このとき、表示装置１１の背面１１ｂ側には、金具部１２ｂが取り付けられている。よって、金具部１２ｂの係止部２２ａ，２２ｂを、枠体部１２ａ側に引っ掛けた状態で固定することで、表示装置１１と枠体部１２ａ側とを連結させることができる。
【００６１】
同様に、図８（ｂ）に示すように、左下段の表示装置１１の右横の中央下段の表示装置１１を枠体部１２ａ側に連結させる。
さらに、同様に、図８（ｃ）に示すように、中央下段の表示装置１１の右横の右下段の表示装置１１を枠体部１２ａ側に連結させる。
【００６２】
次に、中段に設置される表示装置１１について、図８（ａ）〜図８（ｃ）に示す手順を繰り返し、壁面１５に固定された枠体部１２ａに対して表示装置１１を固定していく。これにより、下段および中段の６つの表示装置１１を壁面１５に固定することができる。
【００６３】
さらに、上段に設置される表示装置１１について、図８（ａ）〜図８（ｃ）に示す手順を繰り返し、壁面１５に固定された枠体部１２ａに対して表示装置１１を固定していく。これにより、下段、中段および上段の９つの表示装置１１を壁面１５に固定することができる。
【００６４】
本実施形態では、上述したように、９つ全ての表示装置１１を壁面１５に固定した後、表示装置１１を押し込んで、図９（ａ）〜図９（ｃ）に示す手順に沿って、作業状態から設置状態へと移行させる。
【００６５】
具体的には、図９（ａ）に示すように、まず、９つの表示ユニット１０のうちの左下段に取り付けられた表示装置１１を、表示画面１１ａに垂直な方向（図中白抜き矢印参照）に押し込んで、作業状態から設置状態へと移行させる。
【００６６】
このとき、表示装置１１の背面１１ｂ側には、移動機構１３が取り付けられている。よって、表示装置１１を押し込むと、移動機構１３によって設置状態の位置において固定される。
【００６７】
同様に、図９（ｂ）に示すように、左下段の表示装置１１の右横の中央下段の表示装置１１を、表示画面１１ａに垂直な方向（図中白抜き矢印参照）に押し込んで、作業状態から設置状態へと移行させる。
【００６８】
さらに、同様に、図９（ｃ）に示すように、中央下段の表示装置１１の右横の右下段の表示装置１１を、表示画面１１ａに垂直な方向（図中白抜き矢印参照）に押し込んで、作業状態から設置状態へと移行させる。
【００６９】
次に、中段に設置される表示装置１１について、図９（ａ）〜図９（ｃ）に示す手順を繰り返し、壁面１５に固定された表示装置１１を、作業状態から設置状態へ移行させていく。これにより、下段および中段の６つの表示装置１１を設置状態へ移行させることができる。
【００７０】
さらに、上段に設置される表示装置１１について、図９（ａ）〜図９（ｃ）に示す手順を繰り返し、壁面１５に固定された表示装置１１を、作業状態から設置状態へ移行させていく。これにより、下段、中段および上段の９つの表示装置１１を、設置状態へ移行させることができる。
【００７１】
本実施形態の表示ユニット１０は、以上のような手順により、表示装置１１の外形と同じ外形を有する枠体部１２ａを隣接する部分において互いに接合させて大型画面を形成することで、表示装置１１の位置精度を向上させ、表示装置１１の表示画面１１ａの平面度を向上させることができる。よって、従来よりも、設置時にかかる工数を削減して、大幅な設置施工コストの削減が可能となる。
【００７２】
また、壁面１５に固定される枠体部１２ａを含む取付金具１２に、表示装置１１の重量を支持するために十分な剛性を持たせているため、壁面１５の構造体が簡素な構造であっても設置可能となる。
【００７３】
＜隣接する表示装置１１間の位置合わせ＞
ここで、図９（ｃ）に示すように、下段、中段および上段の９つの表示装置１１を設置状態へ移行させた際に、隣接する表示装置１１同士を、表示画面１１ａに垂直な方向に置いて位置合わせするための機構について、図１０（ａ）〜図１４を用いて説明すれば以下の通りである。
【００７４】
すなわち、本実施形態では、図１０（ａ）および図１０（ｂ）に示すように、表示装置１１の四隅にそれぞれ取り付けられたコーナー金具３０を用いて、表示装置１１の表示画面１１ａに垂直な方向における位置合わせを行う。
【００７５】
（コーナー金具３０）
コーナー金具３０は、複数の表示装置１１を組み合わせて大型画面（図６参照）を形成する際に、隣接する表示装置１１同士の表示画面１１ａに垂直な方向における位置合わせを行うために、図１０（ａ）および図１０（ｂ）に示すように、表示装置１１の四隅に取り付けられている。
【００７６】
そして、コーナー金具３０は、図１１（ａ）および図１１（ｂ）に示すように、本体部３１と、突出部３２と、係合穴（凹部）３３と、を有している。
本体部３１は、図１１（ａ）および図１１（ｂ）に示すように、平板状の部材を組み合わせて構成されており、連結板３１ａ、平面部（第１治具、平面部）３１ｂ、平面部（第２治具、平面部）３１ｃを有している。
【００７７】
連結板３１ａは、略三角形の板状部材であって、略三角形の底辺以外の２つの辺から垂直な方向に沿って配置された平面部３１ｂ，３１ｃと連結されて一体化されている。
平面部３１ｂは、略四角形状の板状部材であって、連結板３１ａに対して垂直な方向に沿って連結されている。
【００７８】
平面部３１ｃは、平面部３１ｂと同様に、略四角形状の板状部材であって、連結板３１ａに対して垂直な方向に沿って連結されている。
突出部３２は、平面部３１ｂのほぼ中央部分に形成された直径８ｍｍの円柱状の部分であって、表示装置１１の角部分に取り付けられた状態において表示画面１１ａに平行な方向に沿って外向きに突出している。
【００７９】
係合穴３３は、平面部３１ｃのほぼ中央部分に形成された直径８．２ｍｍの貫通穴であって、隣接配置された表示装置１１側に取り付けられたコーナー金具３０の突出部３２が嵌合することで、隣接する表示装置１１同士が表示画面１１ａに垂直な方向において位置ずれすることを防止する。
【００８０】
本実施形態では、以上のような構成のコーナー金具３０を用いて、以下のような手順で、表示装置１１の表示画面１１ａに垂直な方向における位置合わせを行う。
すなわち、図１２に示すように、例えば、上下に隣接配置された表示装置１１の位置合わせを行う場合には、下段側の表示装置１１の上面の両端にそれぞれ設けられたコーナー金具３０と、上段側の表示装置１１の下面の両端にそれぞれ設けられたコーナー金具３０と、を組み合わせて位置合わせを行う。
【００８１】
ここで、上段側の表示装置１１の下面と下段側の表示装置１１の上面との間には、隙間が生じないように正確な設置が求められる。このため、表示装置１１の表示画面１１ａに平行な方向における位置精度、表示画面１１ａに垂直な方向における位置精度の両者が求められる。
【００８２】
本実施形態では、上段側の表示装置１１の下面と下段側の表示装置１１の上面とを当接させた状態にすると、図１３（ａ）および図１３（ｂ）に示すように、上段側の表示装置１１に取り付けられたコーナー金具３０と、下段側の表示装置１１に取り付けられたコーナー金具３０とが、平面部３１ｂと平面部３１ｃとを当接させた状態となる。
【００８３】
このとき、平面部３１ｂには、図１４に示すように、対向する平面部３１ｃの係合穴３３に向かって突出する突出部３２が設けられているため、突出部３２が係合穴３３に嵌合して、両者は係合状態となる。
【００８４】
すなわち、上述したように、図９（ｂ）等に示すように、表示装置１１を設置状態になるように押し込んでいくと、隣接する表示装置１１同士が接触する部分において、図１４に示すように、コーナー金具３０の突出部３２と係合穴３３とが係合することで、表示装置１１の位置合わせを行うことができる。
【００８５】
これにより、各表示装置１１が位置精度の高い状態で設置されるため、図６に示す大型画面を、隙間のない状態で設置することができる。
なお、図９（ｂ）および図９（ｃ）等に示すように、表示装置１１を設置状態になるように押し込んだ状態において、コーナー金具３０（突出部３２と係合穴３３）の位置がずれている場合や、隣接する表示画面１１ａの間に隙間が空いてしまう場合には、上述した微調整機構１４を用いて、表示装置１１の位置や姿勢を微調整すればよい。
【００８６】
（実施形態２）
本開示の他の実施形態に係るコーナー金具（表示装置取付治具）５０について、図１５〜図２０を用いて説明すれば以下の通りである。
【００８７】
すなわち、本実施形態のコーナー金具５０は、上述した実施形態１のコーナー金具３０と同様に、複数の表示装置１１を組み合わせて大型画面（図６参照）を形成する際に、隣接する表示装置１１同士の表示画面１１ａに垂直な方向における位置合わせを行うために、図１５（ａ）および図１５（ｂ）に示すように、表示装置１１の四隅に取り付けられている。
【００８８】
そして、コーナー金具５０は、図１６（ａ）〜図１６（ｃ）に示すように、本体部５１と、マグネット（吸着部）５２と、ボルト５３と、を有している。
本体部５１は、図１６（ａ）〜図１６（ｃ）に示すように、平板状の部材を組み合わせて構成されており、連結板５１ａ、平面部（第１治具、平面部）５１ｂ、平面部（第２治具、平面部）５１ｃを有している。
【００８９】
なお、本実施形態では、互いに対向配置されたコーナー金具５０によって嵌合状態を形成するために、コーナー金具５０は、３種類の構成を有している。
具体的には、図１６（ａ）〜図１６（ｃ）に示すコーナー金具５０は、連結板５１ａに対して、円柱状のマグネット５２を有する平面部５１ｂが２つ連結されている。また、図１７（ａ）および図１７（ｂ）、図１８（ａ）に示すコーナー金具５０は、一方を円柱状のマグネット５２を有する平面部５１ｂ、他方をマグネット５２の外周面が嵌合する凹部５１ｃａを有する平面部５１ｃを組み合わせている。さらに、図１８（ｂ）に示すコーナー金具５０は、連結板５１ａに対して、凹部５１ｃａを有する平面部５１ｃが２つ連結されている。
【００９０】
以下、３種類のコーナー金具５０を構成する各部材について説明する。
連結板５１ａは、図１６（ａ）〜図１６（ｃ）に示すように、略三角形の板状部材であって、略三角形の底辺以外の２つの辺から、連結板５１ａの平面に垂直な方向に沿って配置された一対の支持部５１ａａ，５１ａｂを有している。支持部５１ａａ，５１ａｂは、ボルト５３を用いて、平面部５１ｂまたは平面部５１ｃと連結され一体化されている。
【００９１】
平面部５１ｂは、略四角形状の板状部材であって、連結板５１ａに対して垂直な方向に沿って、支持部５１ａａ，５１ａｂにボルト５３によって連結されている。また、平面部５１ｂは、中央部分に開口５１ｂａ、長手方向における両端部に軸支部５１ｂｂ，５１ｂｂを有している。
【００９２】
開口５１ｂａの内側には、円柱状のマグネット５２が、円柱状の外周面が平面部５１ｂから外側に向かって突出するように取り付けられている。
軸支部５１ｂｂ，５１ｂｂは、平面部５１ｂの内側の面から突出するように取り付けられたＵ字状の部材であって、Ｕ字状の内側の開口部分において、後述するマグネット５２の軸方向両端に設けられた軸部５２ａ，５２ａを支持している。より具体的には、軸支部５１ｂｂ，５１ｂｂは、表示装置１１の表示画面１１ａの平面方向に沿った方向、すなわち平面部５１ｂの平面に垂直な方向において移動可能な状態で、マグネット５２の両端の軸部５２ａ，５２ａを支持している（図２０の矢印方向参照）。
【００９３】
平面部５１ｃは、図１７（ｂ）に示すように、平面部５１ｂと同様に、略四角形状の板状部材であって、連結板５１ａに対して垂直な方向に沿って、支持部５１ａａ，５１ａｂにボルト５３によって連結されている。また、平面部５１ｃは、円柱状のマグネット５２が吸着するように金属によって形成されている。そして、平面部５１ｃの中央部分には、円柱状のマグネット５２が吸着した際に、円柱状の外周面が嵌合する凹部５１ｃａが形成されている。
【００９４】
マグネット５２は、平面部５１ｂのほぼ中央部分に形成された開口５１ｂａ内に取り付けられており、円柱形状を有している。また、マグネット５２は、円柱形状の中心軸となる軸部５２ａ，５２ａを長手方向における両端に有している。
【００９５】
マグネット５２の両端に設けられた軸部５２ａ，５２ａは、平面部５１ｂの内側の面に形成された軸支部５１ｂｂ，５１ｂｂによって、平面部５１ｂに垂直な方向において移動可能な状態で支持されている。なお、マグネット５２は、軸支部５１ｂｂの形状によって移動方向が規制されており、上述した平面部５１ｂに垂直な方向以外の方向への移動は規制される。
【００９６】
本実施形態では、以上のような構成の３種類のコーナー金具５０を用いて、以下のような手順で、表示装置１１の表示画面１１ａに垂直な方向における位置合わせを行う。
すなわち、図１９に示すように、例えば、左右に隣接配置された表示装置１１の位置合わせを行う場合には、左側の表示装置１１の側面の上下端にそれぞれ設けられたコーナー金具５０と、右側の表示装置１１の側面の上下端にそれぞれ設けられたコーナー金具５０と、を組み合わせて位置合わせを行う。
【００９７】
ここで、左側の表示装置１１と右側の表示装置１１との間には、表示画面１１ａ間の段差や側面同士間の隙間が生じないように正確な設置が求められる。このため、表示装置１１の表示画面１１ａに平行な方向における位置精度、表示画面１１ａに垂直な方向における位置精度の両者が求められる。
【００９８】
本実施形態では、左側の表示装置１１の側面と右側の表示装置１１の側面とを当接させた状態にすると、図１９および図２０に示すように、左側の表示装置１１に取り付けられたコーナー金具５０と、右側の表示装置１１に取り付けられたコーナー金具５０とが、平面部５１ｂと平面部５１ｃとを当接させた状態となる。
【００９９】
このとき、平面部５１ｂには、図２０に示すように、対向する平面部５１ｃの凹部５１ｃａに向かって外周面の一部が嵌合する円柱状のマグネット５２が設けられている。このため、平面部５１ｂと平面部５１ｃとが当接状態になると、マグネット５２の吸着力によって金属製の平面部５１ｃに対してマグネット５２が吸着されるように移動する。
【０１００】
具体的には、上述したように、マグネット５２は、平面部５１ｂ側において、図２０に示すように、平面部５１ｂの平面に対して垂直な方向にのみ移動可能な状態で支持されている。このため、移動可能な方向に吸着する金属製の平面部５１ｃの凹部５１ｃａが配置されると、マグネット５２は平面部５１ｂの表面から外側に突出し、マグネット５２が凹部５１ｃａに嵌合して、両者は係合状態となる。
【０１０１】
すなわち、上述したように、図９（ｂ）等に示すように、表示装置１１を作業状態から設置状態になるように押し込んでいくと、隣接する表示装置１１同士が接触する部分において、図２０に示すように、コーナー金具５０のマグネット５２と凹部５１ｃａとが嵌合することで、表示画面１１ａに垂直な方向における表示装置１１の位置合わせを行うことができる。
【０１０２】
これにより、各表示装置１１が位置精度の高い状態で設置されるため、図６に示す大型画面を、隙間のない状態で設置することができる。
［他の実施形態］
以上、本開示の一実施形態について説明したが、本開示は上記実施形態に限定されるものではなく、発明の要旨を逸脱しない範囲で種々の変更が可能である。
【０１０３】
（Ａ）
上記実施形態では、縦３列、横３列の計９つの表示ユニット１０を組み合わせて、大型画面を形成した例を挙げて説明した。しかし、本開示はこれに限定されるものではない。
例えば、縦２列、横２列、あるいは縦４列以上、横４列以上の表示ユニット１０を組み合わせて設置することで、より小さい、あるいは大きい大型画面を形成してもよい。
【０１０４】
（Ｂ）
上記実施形態では、大型画面を形成する際の設置手順として、取付金具１２の枠体部１２ａ側を先に壁面１５に取り付けた後、表示装置１１の背面１１ｂ側に固定された金具部１２ｂを取り付ける例を挙げて説明した。しかし、本発明はこれに限定されるものではない。
例えば、壁面に対する固定の手順としては、上記実施形態で説明した手順に限らず、表示ユニットの大きさや重要、取付金具の形状等に応じて、適宜、変更してもよい。
【０１０５】
（Ｃ）
上記実施形態では、１つのコーナー金具３０の平面部３１ｂ，３１ｃに、突出部３２および係合穴（凹部）３３を設けた例を挙げて説明した。しかし、本開示はこれに限定されるものではない。
【０１０６】
例えば、突出部が設けられた治具、係合穴（凹部）が設けられた治具が別々に形成され、これらを組み合わせることで、上記と同様の位置合わせを実施してもよい。
あるいは、突出部と凹部との組み合わせは、上記実施形態において説明した形状に限らず、他の形状を組み合わせてもよい。
【０１０７】
また、突出部、係合穴（凹部）の組み合わせは、各コーナーにおいて１つずつではなく、複数の突出部と係合穴とを組み合わせて位置合わせを実施してもよい。
さらに、係合穴は、貫通穴でなくてもよく、突出部の高さ方向における寸法よりも若干大きい凹みとして形成されていてもよい。
【０１０８】
（Ｄ）
上記実施形態では、取付金具１２が装着された表示ユニット１０を、壁面１５に対して取り付けて、大型画面を形成した例を挙げて説明した。しかし、本開示はこれに限定されるものではない。
【０１０９】
例えば、大型画面を設置する場所によっては、壁面ではなく、やぐら構造のような骨組みに対して、表示ユニットを取り付けてもよい。
この場合でも、骨組み側の取付面の平面度が低い場合でも、取付金具同士の結合によって、表示装置の表示画面の平面度を確保することができる。
【産業上の利用可能性】
【０１１０】
本開示の表示装置取付治具は、複数の表示装置を縦・横に組み合わせて大型画面を形成する際の表示装置の位置精度を向上させることができるという効果を奏することから、液晶表示パネル等の表示装置を縦・横に複数組み合わせて大型画面を形成する際に用いられる取付金具として広く適用可能である。
【符号の説明】
【０１１１】
１０      表示ユニット
１１      表示装置
１１ａ    表示画面
１１ｂ    背面
１１ｂａ  ボルト穴
１２      取付金具（表示装置取付金具）
１２ａ    枠体部
１２ｂ    金具部
１２ｃ    長穴
１３      移動機構
１３ａ    リンク部材
１３ｂ    回動軸
１３ｃ，１３ｄ  長穴
１４      微調整機構
１４ａ    操作ハンドル（操作部）
１４ｂ    操作ハンドル（操作部）
１４ｃ    操作ハンドル（操作部）
１４ｄ    操作ハンドル（操作部）
１５      壁面（取付面）
１６      取付ボルト
１７      固定ボルト（固定部材）
１８      壁面固定ボルト
２０ａ〜２０ｄ  フレーム
２１      本体部
２１ａ    ボルト穴
２１ｂ    第１部材
２１ｂａ  長穴
２１ｃ    第２部材
２１ｃａ  長穴
２１ｃｂ  挿入部
２１ｃｃ  挿入部
２２      連結部
２２ａ    第１部材
２２ｂ    第２部材
２２ｂａ，２２ｂｂ  係止部
２２ｃ    長穴
２３      回動軸
３０      コーナー金具（表示装置取付治具）
３１      本体部
３１ａ    連結板
３１ｂ    平面部（第１治具、平面部）
３１ｃ    平面部（第２治具、平面部）
３２      突出部
３３      係合穴（凹部）
５１      本体部
５１ａ    連結板
５１ａａ，５１ａｂ  支持部
５１ｂ    平面部（第１治具、平面部）
５１ｂａ  開口
５１ｂｂ  軸支部
５１ｃ    平面部（第２治具、平面部）
５１ｃａ  凹部
５２      マグネット（吸着部）
５２ａ    軸部
５３      ボルト
【図１】
2018092203.tif 000003
【図２】
2018092203.tif 000004
【図３】
2018092203.tif 000005
【図４】
2018092203.tif 000006
【図５】
2018092203.tif 000007
【図６】
2018092203.tif 000008
【図７】
2018092203.tif 000009
【図８】
2018092203.tif 000010
【図９】
2018092203.tif 000011
【図１０】
2018092203.tif 000012
【図１１】
2018092203.tif 000013
【図１２】
2018092203.tif 000014
【図１３】
2018092203.tif 000015
【図１４】
2018092203.tif 000016
【図１５】
2018092203.tif 000017
【図１６】
2018092203.tif 000018
【図１７】
2018092203.tif 000019
【図１８】
2018092203.tif 000020
【図１９】
2018092203.tif 000021
【図２０】
2018092203.tif 000022